(57)【要約】【課題】導子と装置本体との間のインピーダンスマッチングを容易かつ迅速に行うことができる高周波治療器を提供する。【解決手段】従来の超短波治療器では、所定時間毎に治療対象からの反射電力を測定し、測定結果に基づき、マッチング回路１０５ａ、１０５ｂのインピーダンスを所定の変化量ずつ増減する第１の調整方法を使用していた。一方、本発明の高周波治療器では、第１の調整方法に加えて、第２の調整方法を使用する。この第２の調整方法では、マッチング回路１０５ａ、１０５ｂのインピーダンス（バリコンの静電容量）を最小から最大まで連続的に変化させ、その時々の反射電力を測定記録し、記録した反射電力の測定値から最小の変化点（最良の整合点）を求め、マッチング回路１０５ａ、１０５ｂのインピーダンス（バリコンの静電容量）を前記変化点になるように初期設定する。【選択図】図１
2008104517.tif 000002
【特許請求の範囲】
【請求項１】
所定の高周波の発振信号を出力する高周波治療器本体と、治療対象の患部に前記発振信号を放射する導子とを備える高周波治療器であって、
前記高周波治療器本体は、
前記発振信号を発振する発振部と、
前記導子からの反射電力の大きさを計測するマッチング状態検出部と、
前記発振部からの発振信号を前記導子へ中継し、前記高周波治療器本体の出力インピーダンスを変更するインピーダンス変更手段を有するマッチング回路と、
前記マッチング状態検出部が計測した反射電力の大きさに基づいて前記マッチング回路にインピーダンスの変更を指示する出力制御部と、
前記反射電力の大きさを記録する記憶領域と、
を備え、
前記出力制御部は、
前記マッチング状態検出部が計測した前記反射電力の大きさが前記記憶領域中の前回計測された反射電力よりも大きい場合、前記マッチング回路に対して、インピーダンスの増加、または、減少の方向を前回計測時に実行したインピーダンス変更と反転させる指示を出力し、
前記マッチング状態検出部が計測した反射電力の大きさが前記記憶領域中の前回計測された反射電力よりも小さい場合、前記マッチング回路に対して、インピーダンスの増加、または、減少の方向を前回計測時に実行したインピーダンス変更と同一とする指示を出力し、
前記マッチング状態検出部が計測した反射電力の大きさを前記記憶領域に書き込む
第１のインピーダンス調整手段と、
前記マッチング回路のインピーダンス変更量を最小から最大まで連続的に変化させ、その時々の反射電力を測定記録し、
前記記録した反射電力の測定値が最小の整合点を求め、
前記マッチング回路のインピーダンスを上記整合点に設定する
第２のインピーダンス調整手段と、
前記第１のインピーダンス調整手段と前記第２のインピーダンス調整手段を選択して実行する手段と、
を備えることを特徴とする高周波治療器。
【請求項２】
治療開始時に前記第２のインピーダンス調整手段によりインピーダンス整合を行うと共に、
治療中は前記第１のインピーダンス調整手段によりインピーダンス整合を随時行うこと
を特徴とする請求項１記載の高周波治療器。
【請求項３】
治療中に前記第１のインピーダンス調整手段により所定回数／所定時間内にインピーダンス整合が取れなかった場合は、
前記第２のインピーダンス調整手段によりインピーダンス整合を行うこと
を特徴とする請求項１または請求項２に記載の高周波治療器。
【請求項４】
前記導子と、前記マッチング回路とは２個以上あり、
前記導子と、前記マッチング回路とは１対１に対応し、
前記出力制御部からの指示により前記マッチング回路を順次選択すると共に、前記発振部からの発振信号を選択したマッチング回路へ中継するための出力切替回路と、
をさらに備え、
前記出力制御部は、
前記出力切替回路に対し前記マッチング回路の選択を指示する手段と、
前記出力切替回路により選択されたマッチング回路のそれぞれに対し、前記第１のインピーダンス調整手段と前記第２のインピーダンス調整手段とを選択して実行する手段と、
を備えることを特徴とする請求項１から３のいずれかに記載の高周波治療器。
【発明の詳細な説明】
【技術分野】
【０００１】
本発明は、医療機関や一般家庭等において温熱治療に用いられる高周波治療器に関する。
【背景技術】
【０００２】
高周波を生体に放射する高周波治療器が従来よりある。このような高周波治療器は高周波信号発生手段と、高周波信号放射手段（導子）からなり、高周波信号発生手段で発生させた高周波信号を高周波信号放射手段（導子）介して、生体に放射するものである。
【０００３】
図１１は、高周波治療器について説明するための図である。図１１において、ＯＳＣ（ＯＳＣｉｌｌａｔｏｒ、発振回路）は、高周波治療器の出力となる超短波の基本周波数での発振を行っている。出力アンプは、ＯＳＣで出力された信号を規定電力に増幅する。また、出力制御回路は、導子のインピーダンスと出力アンプの出力インピーダンスとのインピーダンスマッチング（インピーダンス整合）をとり、出力基本周波数に対する高調波成分を除外すると共に、導子に対し最大効率で電力を供給する。
【０００４】
マッチング回路は、バリュアブルコンデンサ（バリコン）等を用いて、高周波治療器本体のインピーダンスを調整する。導子は、渦巻きコイルを形成した１個の電極板を有し、渦電流によるジュール熱の作用により患部の深いところまで温熱作用を発揮する。また、導子が２つの電極を備え、この電極で患部を両側からはさみ、当該２つの電極間に超短波を印加させ、誘電効果による高周波加熱で温熱治療を行う方法もある。
【０００５】
また、従来技術の超短波治療器（超短波の発振信号を用いる高周波治療器）には、高周波信号発生手段と高周波信号放射手段（導子）間にインピーダンスマッチ手段を介添させ放射特性の向上を図るものもある（例えば、特許文献１を参照）。この特許文献１の従来技術の超短波治療器においては、インピーダンスマッチ手段は、導子からの反射電力を検出し、その検出信号でインピーダンス変換素子の一つであるバリコンの静電容量を可変するものである。
【０００６】
しかしながら、上記特許文献１の超短波治療器を実際の治療器として具現化した場合には、２つの問題が生じる。第１の問題は、最良のインピーダンスマッチが行われない場合がある点であり、第２の問題は、バリコンの回転角（容量）が最良に調整されるまでに時間がかかる点である。
【０００７】
第１の問題は、反射電力の特性が図１２に示すような場合に発生する。すなわち反射特性が暴れて反射電力が複数箇所で減少する（複数の極小点を持つ）ような場合に、最も反射電力の少ないＡ点、すなわち、本来の整合点（共振点）ではなく、擬似共振点Ｂを目標として、バリコンの回転角（容量）が調整されてしまう問題である。
【０００８】
また、第２の問題は、バリコンの回転角を所定時間毎に所定の変化量で調整していくために、最良点に達するまでに時間を要する点である。図１３（Ａ）に示すように、最初のインピーダンスの整合点がＡ点にあり、患者の身体の移動により導子のインピーダンス特性が変わり、整合点がＢ点に移動した場合は、図１３（Ｂ）から図１３（Ｆ）に示すように、バリコンの回転角度を所定ステップ（角度）ずつ変化させ、最終的に図１３（Ｆ）に示すに整合点Ｂにバリコンの回転角に調整する。図１３に示す例では、５ステップでインピーダンス整合が完了する例を示しており、この場合、各ステップごとの処理時間がｎ秒であるとすると、合計ｎ×５秒の時間を要することになる。なお、本明細書では、図１３に示すような、インピーダンスマッチングの方法を、第１のインピーダンス調整方法と呼ぶ。
【特許文献１】特開２００６−１２２１９３号公報
【発明の開示】
【発明が解決しようとする課題】
【０００９】
上述したように、従来技術の超短波治療器を実際の治療器として具現化した場合に２つの問題が生じる。第１の問題は、最良のインピーダンスマッチが行われない場合がある点であり、第２の問題は、バリコンの回転角（静電容量）が最良に調整されるまでに時間がかかる点である。
【００１０】
本発明はこのような問題を解決するためになされたもので、その目的は、導子と装置本体との間の最良の整合点へのインピーダンスマッチングを容易かつ迅速に行うことができ、さらに、患者の身体が移動して導子のインピーダンス特性が変わった場合においても、最良の整合点へのインピーダンスマッチングを容易かつ迅速に行うことができる、高周波治療器を提供することにある。
【課題を解決するための手段】
【００１１】
本発明は上記課題を解決するためになされたものであり、請求項１の発明は、所定の高周波の発振信号を出力する高周波治療器本体と、治療対象の患部に前記発振信号を放射する導子とを備える高周波治療器であって、前記高周波治療器本体は、前記発振信号を発振する発振部と、前記導子からの反射電力の大きさを計測するマッチング状態検出部と、前記発振部からの発振信号を前記導子へ中継し、前記高周波治療器本体の出力インピーダンスを変更するインピーダンス変更手段を有するマッチング回路と、前記マッチング状態検出部が計測した反射電力の大きさに基づいて前記マッチング回路にインピーダンスの変更を指示する出力制御部と、前記反射電力の大きさを記録する記憶領域と、を備え、前記出力制御部は、前記マッチング状態検出部が計測した前記反射電力の大きさが前記記憶領域中の前回計測された反射電力よりも大きい場合、前記マッチング回路に対して、インピーダンスの増加、または、減少の方向を前回計測時に実行したインピーダンス変更と反転させる指示を出力し、前記マッチング状態検出部が計測した反射電力の大きさが前記記憶領域中の前回計測された反射電力よりも小さい場合、前記マッチング回路に対して、インピーダンスの増加、または、減少の方向を前回計測時に実行したインピーダンス変更と同一とする指示を出力し、前記マッチング状態検出部が計測した反射電力の大きさを前記記憶領域に書き込む第１のインピーダンス調整手段と、前記マッチング回路のインピーダンス変更量を最小から最大まで連続的に変化させ、その時々の反射電力を測定記録し、前記記録した反射電力の測定値が最小の整合点を求め、前記マッチング回路のインピーダンスを上記整合点に設定する第２のインピーダンス調整手段と、前記第１のインピーダンス調整手段と前記第２のインピーダンス調整手段を選択して実行する手段とを備えることを特徴とするものである。
【００１２】
請求項２に記載の発明は、請求項１に記載の高周波治療器であって、治療開始時に前記第２のインピーダンス調整手段によりインピーダンス整合を行うと共に、治療中は前記第１のインピーダンス調整手段によりインピーダンス整合を随時行うことを特徴とするものである。
【００１３】
請求項３に記載の発明は、請求項１または請求項２に記載の高周波治療器であって、治療中に前記第１のインピーダンス調整手段により所定回数／所定時間内にインピーダンス整合が取れなかった場合は、前記第２のインピーダンス調整手段によりインピーダンス整合を行うことを特徴とするものである。
【００１４】
請求項４に記載の発明は、請求項１から３のいずれかに記載の高周波治療器であって、前記導子と、前記マッチング回路とは２個以上あり、前記導子と、前記マッチング回路とは１対１に対応し、前記出力制御部からの指示により前記マッチング回路を順次選択すると共に、前記発振部からの発振信号を選択したマッチング回路へ中継するための出力切替回路と、をさらに備え、前記出力制御部は、前記出力切替回路に対し前記マッチング回路の選択を指示する手段と、前記出力切替回路により選択されたマッチング回路のそれぞれに対し、前記第１のインピーダンス調整手段と前記第２のインピーダンス調整手段とを選択して実行する手段と、を備えることを特徴とするものである。
【発明の効果】
【００１５】
請求項１の発明によれば、所定時間毎に反射電力を測定し、測定結果に基づきマッチング回路のインピーダンスを所定の変化量ずつ増減する第１のインピーダンス調整方法（第１のインピーダンス調整手段）に加えて、マッチング回路のインピーダンスを最小から最大まで連続的に変化させ、最小の変化点（整合点）を求め、マッチング回路のインピーダンス（バリコンの静電容量等）を前記最小の変化点に初期設定する第２のインピーダンス調整方法（第２のインピーダンス調整手段）を使用できるようにしたので、これにより、導子と装置本体との間の最良の整合点へのインピーダンスマッチング（インピーダンス整合）を容易かつ迅速に行うことができ、さらに、患者の身体が移動し導子のインピーダンス特性が変わった場合においても、最良の整合点へのインピーダンスマッチングを容易かつ迅速に行うことができるようになる。
【００１６】
請求項２に記載の発明によれば、治療開始時に第２のインピーダンス調整方法によりインピーダンス整合を行い、治療中は第１のインピーダンス調整方法によりインピーダンス整合随時行うようにしたので、これにより、例えば、患者が身体を大幅に移動し導子のインピーダンス特性が変わった場合にも、最良の整合点でのインピーダンスマッチングを容易かつ迅速に行うことができる。
【００１７】
請求項３に記載の発明によれば、治療中に第１のインピーダンス調整方法により所定回数／所定時間内に整合が取れなかった場合は、第２のインピーダンス調整方法によりインピーダンス整合を行うようにしたので、これにより、患者が身体を大幅に移動し導子のインピーダンス特性が変わった場合にも、最良の整合点でのインピーダンス整合を容易かつ迅速に行うことができる。
【００１８】
請求項４に記載の発明によれば、２チャンネル、即ち、２個以上の導子を使用する超短波治療器の場合にも、それぞれのマッチング回路に対し、第１のインピーダンス調整方法に加えて、第２のインピーダンス調整方法を使用できるようにしたので、これにより、各チャネルごとに、導子と装置本体との間の最良の整合点へのインピーダンスマッチングを容易かつ迅速に行うことができる。
【発明を実施するための最良の形態】
【００１９】
［本発明の概要の説明］
従来技術の超短波治療器では、所定時間毎に導子が受ける治療対象からの反射電力の大きさを測定し、測定結果に基づきマッチング回路のインピーダンス（バリコンの静電容量等）を所定の変化量ずつ増減する第１のインピーダンス調整方法（第１のインピーダンス調整手段）を使用していた。
【００２０】
一方、本発明の高周波治療器においては、前記第１のインピーダンス調整方法に加えて、第２のインピーダンス調整方法（第２のインピーダンス調整手段）を使用する。この第２のインピーダンス調整方法では、マッチング回路のインピーダンス（バリコンの静電容量等）を最小から最大まで連続的に変化させ、その時々の反射電力を測定記録する。そして、記録した測定値から反射電力が最小の変化点（最良の整合点）を求め、マッチング回路のインピーダンスを前記変化点になるように初期設定する。
【００２１】
また、本発明の高周波治療器では、治療開始時に第２のインピーダンス調整方法を実施し、治療中は第１のインピーダンス調整方法を継続実施する。さらに、第１のインピーダンス調整方法を実施中に、所定回数（例えば１０回）のバリコンの回転角の調整によっても最良点（整合点）に達しない（反射電力の増減が反転しない）場合には、患者の身体が大幅に動いて導子のインピーダンス特性が変わったものとして、再度、第２のインピーダンス調整方法を実施する。
【００２２】
なお、本明細書においては、第１のインピーダンス調整方法を、単に「第１の調整方法」と呼び、第２のインピーダンス調整方法を、単に「第２の調整方法」と呼ぶことがある（図面も同じ）。
【００２３】
［本発明の高周波治療器の構成例の説明］
次に本発明を実施するための最良の形態について図面を参照して説明する。
図１は本実施の形態における高周波治療器１００の構成を表している。図１に示す高周波治療器の構成は、前述した従来技術の超短波治療器（特許文献１）とハードウェア構成が同じであり、ＣＰＵ内の制御機能が異なるものである。
【００２４】
図１において、ＣＰＵ（Ｃｅｎｔｒａｌ Ｐｒｏｃｅｓｓｉｎｇ Ｕｎｉｔ）回路１１０は制御機能である出力制御機能１１１と、出力制御機能１１２と、出力制御機能１１３とからなる制御機能であり、詳細は後述する。
【００２５】
ＯＳＣ１０１は発振回路であり、超短波やマイクロ波の基本周波数での発振を行う。出力アンプ１０２はＯＳＣ１０１の発振した超短波やマイクロ波信号を増幅して出力する。マッチング状態検出部１０３は出力アンプ１０２から信号を入力して出力し、また、高周波治療器１００が導子１０７ａ、または、導子１０７ｂから受ける反射電力を検知して反射電力の大きさを出力する。図９はこのマッチング状態検出部１０３の回路図の例である。
【００２６】
出力切替回路１０４はマッチング状態検出部１０３から信号を入力し、マッチング回路１０５ａと、マッチング回路１０５ｂとへ図６に示す様に順次交互に信号を出力する。図６のチャネル１はマッチング回路１０５ａであり、チャネル２はマッチング回路１０５ｂである。また、図８は出力切替回路１０４の回路図の例である。
【００２７】
マッチング回路１０５ａは、高周波治療器１００のインピーダンスを調整するためのバリコンを備える。このバリコンはモータ（ステッピングモータ等）によって容量が変更される。また、マッチング回路１０５ａは出力切替回路１０４から入力した信号を導子１０７ａへ出力し、患者の患部に温熱治療を行う。マッチング回路１０５ｂもマッチング回路１０５ａと同様である。
【００２８】
また、図7はこのマッチング回路１０５ａと、マッチング回路１０５ｂとの回路図の例である。図中のＣＨ１マッチング回路がマッチング回路１０５ａに該当し、ＣＨ２マッチング回路がマッチング回路１０５ｂに該当する。
【００２９】
モータ切替回路１０６は要求に応じてバリコンの容量変更の対象であるマッチング回路１０５ａと、マッチング回路１０５ｂとのいずれかを選択する。
【００３０】
ＯＳＣ１０１は治療の目的のために予め定められた周波数の電気信号を発振し、出力アンプ１０２へ出力する。出力アンプ１０２はＯＳＣ１０１から電気信号を入力し、この電気信号を増幅してマッチング状態検出部１０３へ出力する。
【００３１】
マッチング状態検出部１０３は出力アンプ１０２から電気信号を入力し、入力した電気信号を出力切替回路１０４へ出力する。出力切替回路１０４はマッチング状態検出部１０３から入力した電気信号を、マッチング回路１０５ａを経由して導子１０７ａへ出力し、患者の患部を治療する。この際に、マッチング状態検出部１０３は出力切替回路１０４を経由して反射電力を受ける。
【００３２】
このため、マッチング状態検出部１０３が出力する電気信号の電圧は、マッチング状態検出部１０３が入力した電気信号の電圧とは異なる。マッチング状態検出部１０３は出力アンプ１０２から入力した電気信号の電圧と、出力切替回路１０４へ出力した電気信号の電圧との差から反射電力の電圧を得て、この反射電力の電圧から反射電力の大きさを求め、求めた反射電力の大きさを、出力制御機能１１１、および出力制御機能１１３へ随時出力する。
【００３３】
次に、図を参照して本実施の形態における高周波治療器の動作について説明する。図２、図３、および図４は本実施の形態における処理の流れを示している。いま、病院の医師は、高周波治療器１００の導子１０７ａと、導子１０７ｂとを患者の患部に当て、温熱治療を行っている。
【００３４】
図２は出力制御機能１１１により行われる処理の流れを示したものである。この処理手順では、出力制御機能１１１は、治療を開始すると（図２のステップＡ０１）、モータ切替回路１０６に指示を与え、マッチング回路１０５ａ（ＣＨ１）を選択する（図２のステップＡ０２）。それから、マッチング回路１０５ａ内のバリコンのシャフトをモータで回転させ、静電容量（回転角）を最小にする（図２のステップＡ０３）。例えば、図１０（Ａ）に示すように、バリコンの回転角を最小にする。
【００３５】
次に、出力アンプ１０２を制御し、生体（治療を受ける人）が違和感を憶えない（感じない）弱い出力（例えば５Ｗ）を発生させ、導子１０７ａにより患者の身体に照射する（図２のステップＡ０４）。それから、バリコンのシャフトをモータで回転させ、静電容量を増加させて行きながら、反射電力を測定する（図２のステップＡ０５）。この際に、静電容量（バリコン回転角）と、これに対応する反射電力の値とをＣＰＵ回路１１０の予め決められたレジスタ（記憶領域）に記憶する。例えば、図１０（Ｂ）に示すように、バリコンの回転角を増加させながら、反射電力を測定する。
【００３６】
そして、バリコンを最大静電容量（最大回転角）まで回転させた後に、ＣＰＵ回路１１０のレジスタ（記憶領域）に記憶されたバリコンの静電容量（回転角）と反射電力の値を
読み出し、反射電力が最小になる点（最良の整合点）を検出し、バリコンの容量（バリコン回転角）をその点に設定する（図２のステップＡ０６）。例えば、図１０（Ｃ）に示すＡ点にバリコンの回転を設定する。
【００３７】
上記手順をマッチング回路１０５ｂ（ＣＨ２）についても実行する（図２のステップＡ０７〜Ａ１１）。以上の手順により、治療開始時のマッチング回路１０５ａ、１０５ｂにおけるバリコン回転角の初期設定が完了する。なお、上記手順は、前述の第２の調整方法に該当する。
【００３８】
上記、マッチング回路１０５ａ、１０５ｂにおけるバリコン回転角の初期設定が完了すると、出力制御機能１１２に対して、高周波治療器が治療のために制御動作を開始するように指示し、出力制御機能１１２の制御が開始される（図２のステップＡ１２）。
【００３９】
その後は、後述する出力制御機能１１３から、反射電力の無変化の状態が、例えば、１０回連続（または所定の時間連続）して検知されたかどうかの通知を待つ（図２のステップＡ１３）。出力制御機能１１３から反射電力の無変化の状態が連続して検出されたとの通知を受けた場合は（図２のステップＡ１３が“ＹＥＳ”）、出力制御機能１１２、１１３の動作を停止させ（図２のステップＡ１４）、ステップＡ０２に戻り、バリコンの回転角の初期設定を再度実行する。
【００４０】
図３は、出力制御機能１１２により行われる処理の流れを示したものである。
この処理手順では、出力切替回路１０４はマッチング状態検出部１０３から入力した電気信号を、マッチング回路１０５ａを経由して導子１０７ａへ出力し、また、マッチング回路１０５ｂを経由して導子１０７ｂへ出力する。すなわち、図６に示すようにこの電気信号の出力先に関して１秒間隔の切り替えが発生する。
【００４１】
この切り替えのために、出力制御機能１１２は１秒間隔で、図６に示すようにマッチング回路１０５ａと、マッチング回路１０５ｂとの切り替えの直前に起動し（図３のステップＳ０１）、現在電気信号の出力が行われているのがマッチング回路１０５ａであるのか、あるいはマッチング回路１０５ｂであるのかの判別を出力切替回路１０４から得る。
【００４２】
次に、出力制御機能１１２は、電気信号の出力が現在行われているのがマッチング回路１０５ａである場合には（図３のステップＳ０２が“ＣＨ１”）、モータ切替回路１０６に対して次にコンデンサの容量変更を行う対象はマッチング回路１０５ａであることを通知して認識させる（図３のステップＳ０３）。
【００４３】
次に、出力制御機能１１２は、出力制御機能１１３にマッチング回路１０５ａのバリコンの容量調整を要求する（図３のステップＳ０４）。出力制御機能１１３は出力制御機能１１２からの要求を受け、図４に示す処理の流れに従って処理を行う。
【００４４】
図４において、まず、出力制御機能１１３は反射電力の検出のため、マッチング状態検出部１０３から反射電力の大きさを入力する（図４のステップＴ０１）。そして、出力制御機能１１３はＣＰＵ回路１１０の予め決められたレジスタ（記憶領域）から前回得た反射電力の大きさを読み出し、先ほど入力した現在の反射電力の大きさと比較する（図４のステップＴ０２）。
【００４５】
出力制御機能１１３は反射電力の大きさが前回よりも大きくなっていることを検知した場合には（図４のステップＴ０２が“ＹＥＳ”）、高周波治療器１００本体の出力インピーダンスと、導子のインピーダンスとの差分が大きくなっていると判断し、現状のバリコンの容量の増加、もしくは減少の方向を逆転させる必要があると判断してモータ切替回路１０６にモータの１ステップの反転を要求する。
【００４６】
モータ切替回路１０６は出力制御機能１１３から指示を受け、マッチング回路１０５ａのバリコンのモータを１ステップ反転させ（図４のステップＴ０３）、出力制御機能１１３に処理の完了を通知する。出力制御機能１１３はモータ切替回路１０６から処理の完了の通知を受ける。
【００４７】
また、出力制御機能１１３は反射電力の大きさが前回よりも大きくなっていないことを検知した場合には（図４のステップＴ０２が“ＮＯ”）、現在の反射電力の大きさが前回よりも小さくなっているか否かのチェックを行う（図４のステップＴ０６）。
【００４８】
出力制御機能１１３は、反射電力の大きさが前回よりも小さくなっていることを検知した場合（図４のステップＴ０６が“ＹＥＳ”）、高周波治療器１００本体の出力インピーダンスと、導子のインピーダンスとの差分が小さくなっているため現状のバリコンの容量変化を更に促進するべきであると判断し、モータ切替回路１０６にモータの１ステップの正転（現状のバリコンの容量の増加、もしくは減少の方向）を要求する。
【００４９】
モータ切替回路１０６は出力制御機能１１３から指示を受け、マッチング回路１０５ａのバリコンのモータを１ステップ正転させ（図４のステップＴ０７）、出力制御機能１１３に処理の完了を通知する。出力制御機能１１３はモータ切替回路１０６から処理の完了の通知を受ける。
【００５０】
また、出力制御機能１１３は反射電力の大きさが前回よりも小さくなっていないことを検知した場合には（図４のステップＴ０６が“ＮＯ”）、反射電力が所定値以上かどうかを判定する（図４のステップＴ０８）。反射電力が所定値以下の場合は（図４のステップＴ０８が“ＮＯ”）、反射電力が安定していると判断し、特にバリコンの容量を変化させる必要は無いと判断する。
【００５１】
反射電力が所定値以上である場合は（図４のステップＴ０８が“ＹＥＳ”）、反射電力の無変化の状態が所定回数以上（この例では、１０回）連続して検出されたかどうかを判定する（図４のステップＴ０９）。反射電力の無変化の状態が所定回数以上（この例では、１０回）連続して検出された場合は（図４のステップＴ０９が“ＹＥＳ”）、何らかの異常（例えば、身体の大幅な移動）が生じたものとして、出力制御機能１１１に通知する（図４のステップＴ１０）。
【００５２】
次に、出力制御機能１１３は、先ほどマッチング状態検出部１０３から入力した反射電力の大きさを、先ほど前回の反射電力の大きさを読み出したレジスタにセットする（図４のステップＴ０４）。そして、出力制御機能１１３は、処理の完了を出力制御機能１１２に通知し、再び出力制御機能１１２から指示を受けるまで待機する（図４のステップＴ０５）。
出力制御機能１１２は出力制御機能１１３から処理の完了の通知を受け、出力切替回路１０４にマッチング回路１０５ａへの電気信号の送信を停止させ（図３のステップＳ０５）、さらに、出力切替回路１０４にマッチング回路１０５ｂへの電気信号の送信を開始させる（図３のステップＳ０６）。
【００５３】
これにより、電気信号の出力先が導子１０７ａから導子１０７ｂに切り替わった。また、マッチング回路１０５ａのバリコンの容量は最適に近づいたため、再びマッチング回路１０５ａに電気信号の送信先が切り替わるとき、導子と、高周波治療器１００本体とのインピーダンスの差はいっそう小さなものとなる。
【００５４】
また、図３のステップＳ０２において、出力制御機能１１２が、電気信号の出力が現在行われているのがマッチング回路１０５ｂであることを検知した場合（図３のステップＳ０２が“ＣＨ２”）、モータ切替回路１０６に対して次にコンデンサの容量変更を行う対象はマッチング回路１０５ｂであることを認識させ（図３のステップＳ０８）、図３のステップＳ０３と同様の処理を行う。図３のステップＳ０９も図３のステップＳ０４と同様の処理である。
【００５５】
そして、図３のステップＳ１０において、出力制御機能１１２は、出力切替回路１０４にマッチング回路１０５ｂへの電気信号の送信を停止させ（図３のステップＳ１０）、さらに、出力切替回路１０４にマッチング回路１０５ａへの電気信号の送信を開始させる（図３のステップＳ１１）。
【００５６】
次に、出力制御機能１１２は、図６に示すように次に処理を行うべきタイミングまでの１秒間待機する（図３のステップＳ０７）。
【００５７】
また、図４に示す出力制御機能１１３における処理の流れの中で、反射電力の無変化の状態が連続して検出された場合は（図４のステップＴ０９が“ＹＥＳ”）、出力制御機能１１３から出力制御機能１１１に、その旨の通知が行われ（図４のステップＴ１０）、制御の主体は出力制御機能１１１に移行し、出力制御機能１１２および出力制御機能１１３が待機動作に入った時点で、その動作は停止され（図２のステップＡ１４）、出力制御機能１１１により前述した第２の調整方法が実施され、バリコンの初期設定が再度行われることになる。
【００５８】
なお、図４のステップＴ０８の処理は省略することもでき、さらに、図４のステップＴ０９において反射電力の無変化状態を検出する際には、検出回数ではなく、無変化状態の経過時間で検出するようにしてもよい。
【００５９】
以上説明した、出力制御機能１１１、出力制御機能１１２、および出力制御機能１１３における処理手順により、治療開始時に第２のインピーダンス調整方法を実施し、治療中は第１のインピーダンス調整方法を継続実施することができる。さらに、第１のインピーダンス調整方法を実施中に、所定回数（例えば１０回）のバリコンの回転角の調整によっても最良点（整合点）に達しない（反射電力の増減が反転しない）場合には、患者の身体が大幅に動いて導子のインピーダンス特性が変わったものとして、再度、第２のインピーダンス調整方法を実施することができる。
【００６０】
なお、前述の出力制御部は、出力制御機能１１１、出力制御機能１１２、および出力制御機能１１３が該当し、前述の出力制御部中の第１のインピーダンス調整手段は、出力制御機能１１３が主に該当し、前述の出力制御部中の第２のインピーダンス調整手段は、出力制御機能１１１が主に該当するものである。
【００６１】
以上、図面を参照して本発明の実施形態について詳述してきたが、具体的な構成は上述の実施の形態に限られるものではなく、この発明の要旨を逸脱しない範囲の設計変更等も含まれる。
【図面の簡単な説明】
【００６２】
【図１】本発明の実施の形態における高周波治療器の構成を示すブロック図である。
【図２】出力制御機能１１１における処理の流れを表すフローチャートである。
【図３】出力制御機能１１２における処理の流れを表すフローチャートである。
【図４】出力制御機能１１３における処理の流れを表すフローチャートである。
【図５】本発明の実施の形態における高周波治療器の検知する反射電力の特性曲線の例を表す図である。
【図６】本発明の実施の形態における高周波治療器の出力する電気信号と時間の関係を表す図である。
【図７】本発明の実施の形態におけるマッチング回路の回路図である。
【図８】本発明の実施の形態における出力切替回路の回路図である。
【図９】本発明の実施の形態におけるマッチング状態検出部の回路図である。
【図１０】第２のインピーダンス調整方法について説明するための図である。
【図１１】高周波治療器について説明するための図である。
【図１２】従来の超短波治療器の問題点を説明するための図である。
【図１３】第１のインピーダンス調整方法について説明するための図である。
【符号の説明】
【００６３】
１００…高周波治療器
１０１…ＯＳＣ（発振部）
１０２…出力アンプ（発振部）
１０３…マッチング状態検出部
１０４…出力切替回路
１０５ａ、１０５ｂ…マッチング回路
１０６…モータ切替回路
１０７ａ、１０７ｂ…導子
１１０…ＣＰＵ回路
１１１…出力制御機能（出力制御部、第２のインピーダンス調整手段）
１１２…出力制御機能（出力制御部）
１１３…出力制御機能（出力制御部、第１のインピーダンス調整手段）
【図１】
2008104517.tif 000003
【図２】
2008104517.tif 000004
【図３】
2008104517.tif 000005
【図４】
2008104517.tif 000006
【図５】
2008104517.tif 000007
【図６】
2008104517.tif 000008
【図７】
2008104517.tif 000009
【図８】
2008104517.tif 000010
【図９】
2008104517.tif 000011
【図１０】
2008104517.tif 000012
【図１１】
2008104517.tif 000013
【図１２】
2008104517.tif 000014
【図１３】
2008104517.tif 000015